(57)【特許請求の範囲】
【請求項１】
カラー読取モード又はモノクロ読取モードで原稿の画像を読み取るカラー画像読取部と、カラー画像読取部によりカラー読取モードで読み取った原稿の画像におけるＲ、Ｇ、Ｂ３色の各彩度の２色間の差に基づいて原稿の持つ彩度を判定する彩度判定部とを備え、
彩度判定部による判定の結果、初期設定状態におけるカラー読取モードが適切であるか判定し、適切である場合は、カラー読取モードでカラー画像読取部により原稿の画像を読み取り、適切でない場合は、ユーザに対しカラー読取モードを変更するか確認し、ユーザがカラー読取モードの変更を指示すると、変更後のモノクロ読取モードでカラー画像読取部により原稿の画像を読み取ることを特徴とする画像読取装置。
【発明の詳細な説明】
【０００１】
【発明の属する技術分野】
この発明は、カラー読み取り機能を備えた画像読取装置に関する。
【０００２】
【従来の技術】
従来の複写機、ファクシミリ装置、複写機能・ファックス機能等の多機能を有する複合機等の画像読取装置には、モノクロの読み取り以外にカラー読み取り機能を有するものがある。この種の画像読取装置は、モノクロでもカラーの原稿でも、カラーであるとして読み取るものである。
【０００３】
【発明が解決しようとする課題】
上記した従来の画像読取装置では、モノクロ画像でもカラー画像として読み取るため、カラー情報化された情報が増え、また、かすかに色を出す（色が付く）という問題がある。
【０００４】
この発明は上記問題点に着目してなされたものであって、ユーザが最適のモードを決定し、原稿の画像読み取りを行える画像読取装置を提供することを目的としている。
【０００５】
【課題を解決するための手段】
この発明の画像読取装置は、カラー読取モード又はモノクロ読取モードで原稿の画像を読み取るカラー画像読取部と、カラー画像読取部によりカラー読取モードで読み取った原稿の画像におけるＲ（赤）、Ｇ（緑）、Ｂ（青）３色の各彩度の２色間の差に基づいて原稿の持つ彩度を判定する彩度判定部とを備え、彩度判定部による判定の結果、初期設定状態におけるカラー読取モードが適切であるか判定し、適切である場合は、カラー読取モードでカラー画像読取部により原稿の画像を読み取り、適切でない場合は、ユーザに対しカラー読取モードを変更するか確認し、ユーザがカラー読取モードの変更を指示すると、変更後のモノクロ読取モードでカラー画像読取部により原稿の画像を読み取るようにしている。
【０００６】
一般に、Ｒ、Ｇ、Ｂの３色のセンサで、それぞれモノクロ画像を読み取ると、ＲとＧ、ＧとＢ、ＢとＧの各出力の差は微小値であることが判明している。そこで、これら２色の出力の差が所定値以下の場合、モノクロ画像であるとし、また２色の出力差が所定値を越える場合は、カラー画像と読み取ることとした。
【０００９】
【発明の実施の形態】
以下、実施の形態により、この発明を更に詳細に説明する。図１は、この発明が実施されるファクシミリ装置の構成を示すブロック図である。このファクシミリ装置はカラー画像機能付きであり、ＭＰＵ（制御部）１、ＮＣＵ２、ＭＯＤＥＭ３、ＲＯＭ４、ＲＡＭ５、画像メモリ（ＤＲＡＭ）６、ＣＯＤＥＣ（符号化・復号器：Coder and Decoder ）７、操作部８、スキャナ９、プリンタ１０、ＰＣインターフェース１１、インターネットインターフェース１２を備える。
【００１０】
ＭＰＵ１は、この装置を構成する各部を制御する。ＮＣＵ２は、電話回線網（ＰＳＴＮ）との接続を制御すると共に、相手先の電話番号（ＦＡＸ番号を含む）に対応したダイヤル信号の送出及び着信を検出するための機能を備えている。ＭＯＤＥＭ３は、ＩＴＵ（国際電気通信連合）−Ｔ勧告Ｔ．３０に従ったファクシミリ伝送制御手順に基づいて、Ｖ．１７、Ｖ．２７ｔｅｒ、Ｖ．２９等に従った送信データの変調及び受信データの復調を行う。或いは、これらに加えてＶ．３４に従った送信データの変調及び受信データの復調を行う。
【００１１】
ＲＯＭ４は、この装置を制御するためのプログラムを記憶する。ＲＡＭ５は、データ等を一時的に記憶する。画像メモリ６は、受信画データやスキャナ９で読み取った画データを一時的に記憶する。また、この画像メモリ６に、カラー画像ファイル、カラーイメージメモリ、モノクロイメージメモリ等の記憶領域が割り当てられている。ＣＯＤＥＣ７は、読み取った画データを送信するためにＭＨ、ＭＲ、ＭＭＲ方式等により符号化（エンコード）し、受信画データを復号（デコード）する。操作部８は、ユーザがＦＡＸ送信・受信、プリント等の指示をするためのものである。スキャナ９は、ＦＡＸ送信するときに原稿の画データを読み取る。プリンタ１０は、スキャナ９で読み取られた原稿、またはファックス受信原稿をプリントする。ＰＣインターフェース１１は、ＰＣからのプリント指令、データを受けて、プリンタ１０に送る。インターネットインターフェース１２は、本装置をインターネットに接続する。
【００１２】
次に、図２に示すフロー図を参照して、この実施形態装置の画像読取処理動作を説明する。処理動作がスタートすると、先ず、ステップＳＴ１において、原稿のスキャンを行う。そして、ステップＳＴ２へ移行する。ステップＳＴ２においては、スキャンにより取り込んだ原稿の持つ彩度の判断を行う。この処理ルーチンでは、図４に示すように、ステップＳＴ２１でスキャンした画像のうち、Ｒ−Ｇの演算を行い、ステップＳＴ２２へ移行する。ステップＳＴ２２においては、Ｒ−Ｇが所定値Ｋより小さいか否か判定する。Ｒ−Ｇが所定値Ｋより小さい場合は、ステップＳＴ２３へ移行する。ステップＳＴ２３においては、Ｇ−Ｂを演算する。続いて、ステップＳＴ２４へ移行する。ステップＳＴ２４においては、Ｇ−Ｂが所定値Ｋより小さいか否か判定する。Ｇ−Ｂが所定値より小さい場合は、ステップＳＴ２５において、モノクロ読み取りが適正であるとする。一方、Ｒ−Ｇ、Ｇ−Ｂのいずれかでも所定値Ｋより大であると、ステップＳＴ２６において、カラー読み取りが適正であるとする。ステップＳＴ２の処理後、ステップＳＴ３へ移行する。
【００１３】
ステップＳＴ３においては、原稿の持つ彩度に対して、適切なモードか否か判定する。例えば、カラー読取モードの初期設定状態で、ステップＳＴ２５のモノクロ読取が適正と判定された場合は、現設定モードは不適切であるとして、ステップＳＴ７へ移行する。一方、カラー読取モードで、ステップＳＴ２６のカラー読取モードが適正と判定された場合は、現読取モードは適切であり、ステップＳＴ４へ移行する。
【００１４】
ステップＳＴ７においては、モードを変更するか確認する。この確認は、その旨が表示部に表示されることに応じ、ユーザがキー操作で行う。ステップＳＴ７から次に、ステップＳＴ８へ移行する。ステップＳＴ８においては、モードの変更が要求されたか否かを判定する。ユーザによる、例えばモノクロ読取モードへのキー操作が確認されれば、つまりモードの変更が要求されれば、ステップＳＴ９へ移行する。一方、変更の要求がない場合は、ステップＳＴ４へ移行する。ステップＳＴ９においては、モードの変更、例えばカラー読取モードからモノクロ読取モードに変更する。そして、ステップＳＴ４へ移行する。
【００１５】
ステップＳＴ４において、原稿彩度が現在の読取モードに適切であるか、適切でないがモード変更をする旨の指示がない場合、又はモード変更をした場合、そのモードで画像を読み取り、相手方にコピー送信する。次に、ステップＳＴ５へ移行する。ステップＳＴ５においては、初期モードに対して、変更があったか否かを判定する。変更があった場合は、ステップＳＴ６へ移行する。一方、モードの変更がない場合は、そのまま処理を終了する。ステップＳＴ６においては、モードの変更、つまり初期のモードに復帰して、処理を終了する。
【００１６】
次に、図３に示すフロー図により、他の実施形態画像読取装置の処理動作を説明する。先ず、処理動作がスタートすると、ステップＳＴ１１において、原稿の簡易スキャンを行う。そして、次にステップＳＴ１２へ移行する。ステップＳＴ１２においては、原稿の持つ彩度、つまり、Ｒ、Ｇ、Ｂの出力がどの程度であるかを判断する。具体的には、Ｒ、Ｇ、Ｂの差を算出し、その差の出力が所定値以下であるか否かの判断を行う。例えば、Ｒ、Ｇ、Ｂのうち、２つの組み合わせの２組の差値が所定値以下か否かを判断する。そして、ステップＳＴ１３へ移行する。ここで、２つの組み合わせの差値が２組にわたり、所定値以下である場合は、モノクロ画像読み取りモードであることを、逆に２つの組み合わせの差値が１つでも所定値よりも大である場合は、それぞれその旨を通知する。そして、ステップＳＴ１４へ移行する。ステップＳＴ１４においては、通知したモード、例えばカラー読取モードかあるいはモノクロ読取モードであるか、いずれを使用するかの判断を要求する。その要求は、その旨を表示部に表示することによって行う。
【００１７】
ステップＳＴ１４に続いて、ステップＳＴ１５へ移行する。ステップＳＴ１５においては、提示したモードをユーザが認めたか否かを判定する。ユーザが提示したモードで読み取る旨の操作をした場合には、ステップＳＴ１６へ移行する。一方、ユーザが提示したモードを認めない場合は、ステップＳＴ１７へ移行する。ステップＳＴ１７においては、提示したものと逆のモードを設定する。ステップＳＴ１６、ＳＴ１７のいずれの場合でも、モード設定がなされると、ステップＳＴ１８へ移行する。ステップＳＴ１８においては、送信原稿の本スキャンを行い、続いて、ステップＳＴ１９へ移行する。ステップＳＴ１９においては、コピー原稿を送信する。そして、処理を終了する。
【００１８】
なお、上記実施形態において、モノクロはグレー画像、白黒画像を意味する。
【００１９】
【発明の効果】
請求項１の発明によれば、初期設定状態におけるカラー読取モードが適切でない場合はユーザが指定した読取モード（カラー読取モード又はモノクロ読取モード）で原稿を読み取ることができるので、原稿の画像に応じて適切な読取モードを指定することで、モノクロ画像は確実にモノクロモードで読み取れ、情報量が減少し、モノクロ画像を表示した場合、かすかな色も出ない。
【図面の簡単な説明】
【図１】この発明の一実施形態であるファクシミリ装置の構成を示すブロック図である。
【図２】同実施形態ファクシミリ装置の画像読取処理を説明するフロー図である。
【図３】同フロー図の原稿の持つ彩度の判断処理ルーチンの具体的処理を示すフロー図である。
【図４】他の実施形態の画像読取処理を説明するフロー図である。
【符号の説明】
１      ＭＰＵ
２      ＮＣＵ
３      ＭＯＤＥＭ
４      ＲＯＭ
５      ＲＡＭ
６      画像メモリ
７      ＣＯＤＥＣ
８      操作部
９      スキャナ
１０    プリンタ
１１    ＰＣ  Ｉ／Ｆ
１２    インターネット  Ｉ／Ｆ
【図１】
0004026333.tif 000002
【図２】
0004026333.tif 000003
【図３】
0004026333.tif 000004
【図４】
0004026333.tif 000005